(57)【要約】【課題】簡単な構成で機器固有データの有線・無線共用の送受信を可能にすることである。【解決手段】機器本体に着脱可能な部品に設けられる機器固有データ送受信モジュール５０はＲＦＩＤチップ５２とアンテナ５４とを含む。また、アンテナ５４の入出力端には一対の接続点５６ａ，５６ｂが設けられ、保護素子５８ａ，５８ｂを介して、一対の接触端子６０ａ，６０ｂが引き出される。通信ハーネス３４に接触端子６０ａ，６０ｂを接続すると、機器本体側が通信ハーネス３４とアナログ入出力端６６ａ，６６ｂを介してＲＦＩＤチップ５２に有線接続され、その間で機器固有データの有線交信が行われる。また、ＲＦＩＤチップ５２からインタフェース変換部を介して接触端子を引き出してもよい。【選択図】図３
2005148632.tif 000002
【特許請求の範囲】
【請求項１】
機器の本体と着脱可能な部品に設けられ、該機器の使用条件又は使用状況に関する機器固有データを外部の無線送受信装置との間で送受信する機器固有データ送受信モジュールであって、
アンテナと、
無線インタフェースを介して前記アンテナに接続され、前記機器固有データを保持する部品側メモリと、
前記アンテナの入出力端から引き出され、前記機器の本体側と接触接続される接触端子と、
を有し、前記機器の本体に接続されているときは前記接触端子を介して前記部品側メモリと前記機器の本体との間で前記機器固有データの入出力を行うことを特徴とする機器固有データ送受信モジュール。
【請求項２】
機器の本体と着脱可能な部品に設けられ、該機器の使用条件又は使用状況に関する機器固有データを外部の無線送受信装置との間で送受信する機器固有データ送受信モジュールであって、
アンテナと、
無線インタフェースを介して前記アンテナに接続され、前記機器固有データを保持する部品側メモリと、
前記部品側メモリからインタフェース変換部を介して引き出され、前記機器の本体側と接触接続される接触端子と、
を有し、前記機器の本体に接続されているときは前記接触端子を介して前記部品側メモリと前記機器の本体との間で前記機器固有データの入出力を行うことを特徴とする機器固有データ送受信モジュール。
【請求項３】
機器の使用条件又は使用状況に関する機器固有データを、外部の無線送受信装置との間で送受信する機器固有データ送受信システムであって、
前記機器の本体に設けられ、前記機器の電源がＯＮのときに前記機器固有データの読み書きを行い、前記機器の電源がＯＦＦのときに前記機器固有データを保持する不揮発性メモリと、
前記機器の本体と着脱可能な部品に設けられ、前記外部の無線送受信装置との間で送受信する機器固有データ送受信モジュールと、
を備え、
前記機器固有データ送受信モジュールは、
アンテナと、
無線インタフェースを介して前記アンテナに接続され、前記機器固有データを保持する部品側メモリと、
前記アンテナの入出力端から引き出され、前記機器の本体側と接触接続される接触端子と、
を有し、前記機器の本体に接続されているときは前記接触端子を介して前記部品側メモリと前記機器の本体との間で前記機器固有データの入出力を行うことを特徴とする機器固有データ送受信システム。
【請求項４】
機器の使用条件又は使用状況に関する機器固有データを、外部の無線送受信装置との間で送受信する機器固有データ送受信システムであって、
前記機器の本体に設けられ、前記機器の電源がＯＮのときに前記機器固有データの読み書きを行い、前記機器の電源がＯＦＦのときに前記機器固有データを保持する不揮発性メモリと、
前記機器の本体と着脱可能な部品に設けられ、前記外部の無線送受信装置との間で送受信する機器固有データ送受信モジュールと、
を備え、
前記機器固有データ送受信モジュールは、
アンテナと、
無線インタフェースを介して前記アンテナに接続され、前記機器固有データを保持する部品側メモリと、
前記部品側メモリからインタフェース変換部を介して引き出され、前記機器の本体側と接触接続される接触端子と、
を有し、前記機器の本体に接続されているときは前記接触端子を介して前記部品側メモリと前記機器の本体との間で前記機器固有データの入出力を行うことを特徴とする機器固有データ送受信システム。
【発明の詳細な説明】
【技術分野】
【０００１】
本発明は、機器固有データ送受信モジュール及びそれを用いる機器固有データ送受信システムに係り、特に機器の本体と着脱可能な部品に設けられ、機器の使用条件又は使用状況に関する機器固有データを外部の無線送受信装置との間で送受信する機器固有データ送受信モジュール及びそれを用いる機器固有データ送受信システムに関する。
【背景技術】
【０００２】
製品や部品等の流通をトレースするために、無線送受信機能を有するメモリモジュールを対象の製品や部品等に取り付け、外部のメモリリーダーライタからアクセスし、そのメモリの内容を読み出すことが行われる。このような無線送受信機能を有するメモリモジュールは、アンテナ付きＲＦＩＤ（Ｒａｄｉｏ  Ｆｒｅｑｕｅｎｃｙ  Ｉｄｅｎｔｉｔｙ）チップ等と呼ばれることがある。
【０００３】
複写機やプリンタ等の画像処理装置において、トナーカートリッジや感光ドラム等の消耗する部品にこのアンテナ付きＲＦＩＤチップを取り付け、そのメモリに必要なデータを書き込んでおき、これらのデータを無線により読み出せれば便利である。例えば、その部品が適用される機器の型式等の使用条件、ユーザの下でその部品がどのような使用条件の下でどの程度消耗されたか等の使用状況に関する機器固有データを、アンテナ付きＲＦＩＤチップのメモリに書き込み、これを読み出すことで、メンテナンス性の向上を図ることができる。
【０００４】
機器固有データは、機器の本体側において例えば不揮発性メモリに保持されている。そこで不揮発性メモリに保持されている機器固有データを部品側のメモリに転送する必要がある。この場合、部品側のメモリはアンテナ付きＲＦＩＤチップのメモリであるので、機器本体側に無線送受信インタフェースを備えておき、機器内部において無線送受信により不揮発性メモリと部品側メモリとの間で交信を行うことができる。しかし、機器の内部で無線送受信を行う場合は、その無線信号による電波障害が生ずるおそれがあり、場合により電波法の認可が必要なことがある。世界市場を対象とする機器の場合には、各国の電波法規制をそれぞれ確認して対応をとる必要がある。
【０００５】
そこで、単に無線送受信機能を有するのみならず、有線によるデータ転送も可能ないわゆる有線・無線共用メモリ又は接触・非接触共用メモリを部品側メモリに用いることが考えられる。すなわち、機器内部における不揮発性メモリと部品側メモリとの間の交信を有線接続で行い、部品が機器本体から分離されて単独にあるときには部品側メモリと外部のメモリリーダーライターとの交信を無線で行うようにできれば便利である。
【０００６】
例えば、特許文献１には接触式及び非接触式インタフェースを有する複合ＩＣカード及び複合ＩＣカード用ＩＣモジュールが開示されている。この他にも特許文献２において非接触交信機能付きＩＣモジュールと接触型非接触型共用ＩＣカード、特許文献３においても接触／非接触共用型ＩＣカードが開示されている。
【０００７】
【特許文献１】特開平１１−２７２８２２号公報
【特許文献２】特開２００１−５６８５０号公報
【特許文献３】特開２００１−１０１３７６号公報
【発明の開示】
【発明が解決しようとする課題】
【０００８】
上記接触・非接触共用技術は、ＩＣカードにおいて決済系の接触式ＩＣカードと、改札や電話系における非接触式ＩＣカードを共用化するための技術であり、無線インタフェースと共に有線インタフェースを備えている。例えば、特許文献１における複合ＩＣカード用ＩＣモジュールは、受信手段、電源生成手段、復調手段、変調手段等の無線インタフェースとともに、接触交信のために８個の電気接点及びＵＡＲＴ等のインタフェース回路を備える。
【０００９】
このように従来技術においては、決済系と改札・電話系の機能を統合するため等のために、無線インタフェースと共に複雑な有線インタフェースを必要としており、メモリチップの機能や構造が複雑となっており、コストが上昇する。
【００１０】
本発明の目的は、かかる従来技術の課題を解決し、簡単な構成で有線・無線共用の送受信を可能にする機器固有データ送受信モジュール及び機器固有データ送受信システムを提供することである。
【課題を解決するための手段】
【００１１】
上記課題を達成するため、本発明に係る機器固有データ送受信モジュールは、機器の本体と着脱可能な部品に設けられ、該機器の使用条件又は使用状況に関する機器固有データを外部の無線送受信装置との間で送受信する機器固有データ送受信モジュールであって、アンテナと、無線インタフェースを介して前記アンテナに接続され、前記機器固有データを保持する部品側メモリと、前記アンテナの入出力端から引き出され、前記機器の本体側と接触接続される接触端子と、を有し、前記機器の本体に接続されているときは前記接触端子を介して前記部品側メモリと前記機器の本体との間で前記機器固有データの入出力を行うことを特徴とする。
【００１２】
また、本発明に係る機器固有データ送受信モジュールは、機器の本体と着脱可能な部品に設けられ、該機器の使用条件又は使用状況に関する機器固有データを外部の無線送受信装置との間で送受信する機器固有データ送受信モジュールであって、アンテナと、無線インタフェースを介して前記アンテナに接続され、前記機器固有データを保持する部品側メモリと、前記部品側メモリからインタフェース変換部を介して引き出され、前記機器の本体側と接触接続される接触端子と、を有し、前記機器の本体に接続されているときは前記接触端子を介して前記部品側メモリと前記機器の本体との間で前記機器固有データの入出力を行うことを特徴とする。
【００１３】
また、本発明に係る機器固有データ送受信システムは、機器の使用条件又は使用状況に関する機器固有データを、外部の無線送受信装置との間で送受信する機器固有データ送受信システムであって、前記機器の本体に設けられ、前記機器の電源がＯＮのときに前記機器固有データの読み書きを行い、前記機器の電源がＯＦＦのときに前記機器固有データを保持する不揮発性メモリと、前記機器の本体と着脱可能な部品に設けられ、前記外部の無線送受信装置との間で送受信する機器固有データ送受信モジュールと、を備え、前記機器固有データ送受信モジュールは、アンテナと、無線インタフェースを介して前記アンテナに接続され、前記機器固有データを保持する部品側メモリと、前記アンテナの入出力端から引き出され、前記機器の本体側と接触接続される接触端子と、を有し、前記機器の本体に接続されているときは前記接触端子を介して前記部品側メモリと前記機器の本体との間で前記機器固有データの入出力を行うことを特徴とする。
【００１４】
また、本発明に係る機器固有データ送受信システムは、機器の使用条件又は使用状況に関する機器固有データを、外部の無線送受信装置との間で送受信する機器固有データ送受信システムであって、前記機器の本体に設けられ、前記機器の電源がＯＮのときに前記機器固有データの読み書きを行い、前記機器の電源がＯＦＦのときに前記機器固有データを保持する不揮発性メモリと、前記機器の本体と着脱可能な部品に設けられ、前記外部の無線送受信装置との間で送受信する機器固有データ送受信モジュールと、を備え、前記機器固有データ送受信モジュールは、アンテナと、無線インタフェースを介して前記アンテナに接続され、前記機器固有データを保持する部品側メモリと、前記部品側メモリからインタフェース変換部を介して引き出され、前記機器の本体側と接触接続される接触端子と、を有し、前記機器の本体に接続されているときは前記接触端子を介して前記部品側メモリと前記機器の本体との間で前記機器固有データの入出力を行うことを特徴とする。
【発明の効果】
【００１５】
上記構成の少なくとも１つにより、機器固有データ送受信モジュールは、アンテナの入出力端から引き出され、機器の本体側と接触接続される接触端子を備える。したがって、機器の本体に接続されているときは接触端子を介し、接触端子−アンテナ入出力端−アンテナの配線−無線インタフェース−部品側メモリの有線接続経路により、機器の本体側と部品側メモリとの間でアナログ信号による交信ができる。このように、アンテナの入出力端から接触端子を引き出す簡単な構成で、機器の本体側と部品側メモリとの間で機器固有データの有線交信が可能になる。
【００１６】
また、上記構成の少なくとも１つにより、部品側メモリからインタフェース変換部を介して引き出され、機器の本体側と接触接続される接触端子を備える。したがって、機器の本体に接続されているときは接触端子を介し、接触端子−インタフェース変換部部品側メモリの有線接続経路により、機器の本体側と部品側メモリとの間でディジタル信号による交信ができる。このように、インタフェース変換部を介して部品側メモリから接触端子を引き出す簡単な構成で、機器の本体側と部品側メモリとの間で機器固有データの有線交信が可能になる。
【００１７】
以上のように、本発明に係る機器固有データ送受信モジュール及び機器固有データ送受信システムによれば、簡単な構成で有線・無線共用の送受信が可能になる。
【発明を実施するための最良の形態】
【００１８】
以下に図面を用いて本発明に係る実施の形態につき詳細に説明する。以下において、本発明に係る機器固有データ送受信システムが適用される機器を複写機とし、複写機本体と着脱可能な部品としてトナーカートリッジを取上げ、このトナーカートリッジに機器固有データ送受信モジュールが設けられる場合を説明するが、複写機以外の画像処理装置、例えばプリンタ、ファクシミリ装置等でもよい。また、画像処理装置以外でも、機器固有データを記憶する不揮発性メモリを有する制御機器であってもよい。また、機器固有データ送受信モジュールが設けられるのは、トナーカートリッジ以外の機器本体と着脱可能な部品、例えばインクジェットカートリッジ、リボンカートリッジ、感光ドラム等の消耗部品であってもよく、機器によって仕様が異なる部品、例えば制御基板等であってもよい。
【実施例１】
【００１９】
図１は、機器固有データ送受信システム１０を装着する複写機２０を示す図である。機器固有データ送受信システム１０は、複写機２０の電源２２から必要な電力が供給される制御基板３０に搭載され機器固有データを記憶する不揮発性メモリ（Ｎｏｎ  Ｖｏｌａｔｉｌｅ  Ｍｅｍｏｒｙ：ＮＶＭ）３２と、複写機２０の本体と着脱可能なトナーカートリッジ４０に取付けられる機器固有データ送受信モジュール５０と、制御基板３０と機器固有データ送受信モジュール５０とを有線で接続する通信ハーネス３４とを含んで構成される。なお、複写機２０にはこの他に複写機能のための各要素が搭載されるが、図１においてはこれらの図示を省略する。
【００２０】
不揮発性メモリ３２は、機器固有データを記憶するメモリで、複写機２０の電源２２がＯＮのときにデータ読み書きができ、電源２２がＯＦＦになっても書き込まれたデータを失う（揮発させる）ことなく保持することができるメモリである。不揮発性メモリ３２としては、例えば、ＥＥＰＲＯＭ（Ｅｌｅｃｔｒｉｃａｌ  Ｅｒａｓａｂｌｅ  Ｐｒｏｇｒａｍａｂｌｅ  Ｒｅａｄ  Ｏｎｌｙ  Ｍｅｍｏｒｙ）等の半導体メモリを用いることができる。不揮発性メモリ３２と通信ハーネス３４との間は、適当なインタフェース回路を介して内部バス等で接続される。したがって、電源２２がＯＮしている状態において、不揮発性メモリ３２は、通信ハーネス３４を経由して、機器固有データ送受信モジュール５０と機器固有データの有線による交信を行うことができる。
【００２１】
図２は、機器固有データ送受信システム１０のうち、トナーカートリッジ４０が複写機２０の本体と切り離された状態で梱包９０の中に収納されている場合を示す図である。このときには、トナーカートリッジ４０に取付けられた機器固有データ送受信モジュール５０と外部のメモリリーダーライター１００との間で無線交信する様子を示す図である。
【００２２】
メモリリーダーライター１００は、機器固有データ送受信モジュール５０との間で機器固有データの無線交信を行う機能を有する無線送受信装置である。メモリリーダーライター１００は、アンテナと、アナログ／ディジタル変換回路（Ａｎａｌｏｇ／ｄｉｇｉｔａｌ  ｃｏｎｖｅｒｔｅｒ：Ａ／Ｄ）と、これに接続されるデータ処理装置を含む。かかるメモリリーダーライター１００は、例えば、メンテナンスのために、機器固有データの収集、設定、変更等を行いやすくした専用装置等を用いることができるほか、一般的な送受信回路とＡ／Ｄ変換回路とパーソナルコンピュータ（Ｐｅｒｓｏｎａｌ  Ｃｏｍｐｕｔｅｒ：ＰＣ）等を組み合わせたものを用いることができる。
【００２３】
機器固有データ送受信モジュール５０は、不揮発性メモリ３２の保持する機器固有データの少なくとも一部の必須データを保持するメモリを含む回路モジュールであって、不揮発性メモリ３２との間は通信ハーネス３４を介して有線で交信でき、外部のメモリリーダーライター１００との間は無線で交信できる回路モジュールである。図３に機器固有データ送受信モジュール５０のより詳細なブロック図を示す。なお、以下の説明においても図１、図２に示した符号を用いる。
【００２４】
図３において、ＲＦＩＤチップ５２は、無線送受信機能を有するメモリである。図４にＲＦＩＤチップ５２の内部ブロック図を示す。ＲＦＩＤチップ５２は、部品側メモリ６２及び無線インタフェース６４を含み、アンテナ５４へのアナログ入出力端６６ａ，６６ｂを有する。無線インタフェースには、受信手段、送信手段、電源生成手段、復調手段、変調手段等を含む。かかるＲＦＩＤチップ５２は、カスタムＬＳＩで得ることもでき、また標準的な仕様の市販無線ＩＣを用いることもできる。また、ＲＦＩＤチップ５２は、単一のモノリシックチップで構成してもよく、複数の半導体チップで構成してもよく、また小型の回路基板上に複数の電子部品を配置しこれを１つのチップ状としたものでもよい。
【００２５】
図３に戻って、アンテナ５４は、外部のメモリリーダーライター１００から電波を受取り、またメモリリーダーライター１００に対し電波を送波する機能を有するもので、複数回巻回された導体等で構成することができる。アンテナ５４の入出力端は、ＲＦＩＤチップ５２のアナログ入出力端６６ａ，６６ｂに接続される。
【００２６】
アンテナ５４の入出力端に設けられた一対の接続点５６ａ，５６ｂは、通信ハーネス３４とＲＦＩＤチップ５２との間の交信のために用いられる接続点である。この接続点５６ａ，５６ｂから保護素子５８ａ，５８ｂを介して、一対の接触端子６０ａ，６０ｂが引き出される。保護素子５８ａ，５８ｂには抵抗素子あるいはダイオード等を用いることができる。
【００２７】
接触端子６０ａ，６０ｂは、通信ハーネス３４に着脱可能に配置される。したがって、通信ハーネス３４に接触端子６０ａ，６０ｂを接続すると、不揮発性メモリ３２−通信ハーネス３４−接触端子６０ａ，６０ｂ−保護素子５８ａ，５８ｂ−アンテナ５４の入出力端−アンテナ５４の配線−アナログ入出力端６６ａ，６６ｂ−無線インタフェース６４−部品側メモリ６２の経路により、不揮発性メモリ３２と部品側メモリ６２との間が有線接続される。
【００２８】
かかる構成の機器固有データ送受信モジュール５０の作用を説明する。トナーカートリッジ４０が複写機２０の本体に搭載されているときは、通信ハーネス３４に機器固有データ送受信モジュール５０の接触端子６０ａ，６０ｂがしっかり接触接続される。複写機２０の電源２２がＯＮのときには、接触端子６０ａ，６０ｂを介して、複写機２０の本体側の不揮発性メモリ３２と部品側メモリ６２とが機器固有データの交信を行う。したがって、不揮発性メモリ３２側から最新の機器固有データを部品側メモリ６２にダウンロードすることができる。また、例えばその前に機器固有データ送受信モジュール５０が外部のメモリリーダーライター１００から機器固有データの更新等を受け取って保持しているときは、その最新のデータを部品側メモリ６２から不揮発性メモリ３２にアップロードすることができる。
【００２９】
一方、トナーカートリッジ４０が複写機２０の本体とは別に独立して倉庫等に保管され、あるいは梱包９０の中に収納されているときは、接触端子６０ａ，６０ｂは開放のままで、また複写機２０の本体から電力も供給されない。ここで外部のメモリリーダーライター１００から無線信号をアンテナ５４が受け取ると、その無線信号により無線インタフェース６４の電源生成手段により作動電圧が生成され、これにより機器固有データ送受信モジュール５０の作動が可能となる。そして部品側メモリ６２−無線インタフェース６４−アナログ入出力端６６ａ，６６ｂ−アンテナ−無線信号−メモリリーダーライター１００の経路により、部品側メモリ６２と−メモリリーダーライター１００との間で無線により機器固有データの交信を行うことができる。したがって、部品側メモリ６２側から機器固有データをメモリリーダーライター１００側にダウンロードすることができる。また、メモリリーダーライター１００側から、機器の使用条件の設定やその変更等に関する機器固有データを部品側メモリ６２にアップロードすることができる。アップロードされた機器固有データは、上記のように、次にトナーカートリッジ４０が複写機２０の本体に搭載されるときに、接触端子６０ａ，６０ｂを介して、複写機２０の本体側の不揮発性メモリ３２にアップロードされる。
【００３０】
このように、アンテナの入出力端から接触端子を引き出す簡単な構成により、機器の本体側と部品側メモリとの間でアナログ信号による機器固有データの有線交信が可能な、有線・無線共用送受信モジュール及び有線・無線共用送受信システムを実現することができる。
【００３１】
したがって、消耗品等の着脱可能な部品を機器に取り付けて使用するときの部品側メモリへのアクセスは有線方式で行い、部品工場や倉庫等で部品を機器から取外した状態で部品側メモリのデータの読み出しや書き換えを行う際には、無線方式で部品側メモリにアクセスできる。これにより、複雑な電波法の認可の問題を避けることができ、工場や倉庫等で部品側メモリの内部データの書き換えや物流管理が部品の梱包状態のままで行うことができる。
【００３２】
なお、機器固有データ送受信モジュール５０は、回路基板上にＲＦＩＤチップ５２、アンテナ５４、接触端子６０ａ，６０ｂ、アンテナ５４と接触端子６０ａ，６０ｂとの間の配線等を個別に配置してもよく、アンテナ５４以外を単一のＬＳＩにしてもよい。また、アンテナ５４も含めて単一のＬＳＩとしてもよい。
【実施例２】
【００３３】
図５は、ディジタル信号による機器固有データの有線交信が可能な機器固有データ送受信モジュール７０のブロック図である。図３と共通の要素については同一の符号を付し、詳細な説明を省略する。
【００３４】
この機器固有データ送受信モジュール７０においては、接触端子６０ａ，６０ｂがインタフェース変換部７２を介してＲＦＩＤチップ５２に接続される。インタフェース変換部７２は、通信ハーネス３４の両側における入出力インタフェースを整合させるための入出力変換回路で、例えば複写機２０の本体側が汎用的なＩＩＣバスで通信ハーネス３４に接続したいとき、インタフェース変換部７２において必要なインタフェース変換をおこなうことで、そのまま部品側メモリ６２にアクセスが可能とする機能を有する回路である。
【００３５】
このようにして、不揮発性メモリ３２−通信ハーネス３４−接触端子６０ａ，６０ｂ−インタフェース変換部７２−部品側メモリ６２の有線接続経路により、不揮発性メモリ３２と部品側メモリ６２との間がディジタル信号により交信できる。
【００３６】
なお、機器固有データ送受信モジュール７０は、回路基板上にＲＦＩＤチップ５２、アンテナ５４、接触端子６０ａ，６０ｂ、インタフェース変換部７２等を個別に配置してもよく、アンテナ５４以外を単一のＬＳＩにしてもよい。また、アンテナ５４も含めて単一のＬＳＩとしてもよい。
【図面の簡単な説明】
【００３７】
【図１】本発明に係る実施の形態の機器固有データ送受信システムが機器に装着される様子を示す図である。
【図２】本発明に係る実施の形態において、機器本体に着脱可能な部品に取付けられた機器固有データ送受信モジュールと外部の無線送受信装置との間で無線交信する様子を示す図である。
【図３】本発明に係る実施の形態において、機器固有データ送受信モジュールのより詳細なブロック図である。
【図４】ＲＦＩＤチップの内部ブロック図である。
【図５】他の実施の形態の機器固有データ送受信モジュールのブロック図である。
【符号の説明】
【００３８】
１０  機器固有データ送受信システム、２０  複写機、２２  電源、３０  制御基板、３２  不揮発性メモリ、３４  通信ハーネス、４０  トナーカートリッジ、５０，７０  機器固有データ送受信モジュール、５２  ＲＦＩＤチップ、５４  アンテナ、５６ａ，５６ｂ  接続点、５８ａ，５８ｂ  保護素子、６０ａ，６０ｂ  接触端子、６２  部品側メモリ、６４  無線インタフェース、６６ａ，６６ｂ  アナログ入出力端、７２  インタフェース変換部、９０  梱包、１００  メモリリーダーライター。
【図１】
2005148632.tif 000003
【図２】
2005148632.tif 000004
【図３】
2005148632.tif 000005
【図４】
2005148632.tif 000006
【図５】
2005148632.tif 000007